(57)【要約】  ダクト式空気調和システムは、空気調和機と、空気調和機の調和空気が供給される複数の被空調空間に配置された複数のダクトと、複数の被空調空間に設けられた複数の室温センサと、空気調和機を制御する制御装置４と、空気調和機を制御するコントローラ６−１，６−２と、を備え、制御装置４は、複数の被空調空間と複数の室温センサとを対応付けたセンサ設定情報を用いて、コントローラ６−１，６−２で空調運転開始操作が行われた複数の被空調空間の何れかの被空調空間に設けられた室温センサを決定し、前記空気調和機は、前記制御装置で決定した室温センサで検出された室温に基づいて空気調和機の制御量を算出する空調制御量算出部２２を有する。
2016092671.tif 000002
【特許請求の範囲】
【請求項１】
空気調和機と、
前記空気調和機の調和空気が供給される複数の被空調空間に配置された複数のダクトと、
前記複数の被空調空間に設けられた複数の室温センサと、
前記空気調和機を制御する制御装置と、
前記空気調和機を制御するコントローラと、
を備え、
前記制御装置は、前記複数の被空調空間と前記複数の室温センサとを対応付けたセンサ設定情報を用いて、前記コントローラで空調運転開始操作が行われた前記複数の被空調空間の何れかの被空調空間に設けられた室温センサを決定し、
前記空気調和機は、前記制御装置で決定した室温センサで検出された室温に基づいて前記空気調和機の制御量を算出する空調制御量算出部を有することを特徴とするダクト式空気調和システム。
【請求項２】
前記制御装置は、前記複数の被空調空間と前記複数の室温センサとを対応付けたセンサ設定テーブルを用いて室温センサを決定することを特徴とする請求項１に記載のダクト式空気調和システム。
【請求項３】
前記制御装置は、前記コントローラで空調運転開始操作が行われた前記複数の被空調空間に設けられた複数の室温センサを決定し、
前記空気調和機は、前記制御装置で決定した複数の室温センサで検出された室温の平均温度に基づいて前記空気調和機の制御量を算出することを特徴とする請求項１または請求項２に記載のダクト式空気調和システム。
【請求項４】
前記制御装置は、前記コントローラで空調運転開始操作が行われた前記複数の被空調空間に設けられた複数の室温センサを決定し、決定した複数の室温センサで検出された室温を、前記複数のダクトの端部に各々配置される複数の吹出口の数で加重平均化し、
前記空気調和機は、前記制御装置で加重平均化した温度に基づいて前記空気調和機の制御量を算出することを特徴とする請求項１または請求項２に記載のダクト式空気調和システム。
【請求項５】
前記センサ設定情報には、前記複数の被空調空間と前記複数の室温センサと前記複数の被空調空間の優先順位とが対応付けられ、
前記制御装置は、前記コントローラで空調運転開始操作が行われた前記複数の被空調空間に設けられた複数の室温センサの中で優先順位が高い室温センサを決定し、
前記空気調和機は、前記制御装置で決定した室温センサで検出された室温に基づいて前記空気調和機の制御量を算出する請求項１または請求項２に記載のダクト式空気調和システム。
【請求項６】
前記空気調和機は、前記コントローラで前記複数の被空調空間の空調運転開始操作が行われた場合、請求項３から請求項５の何れか１項に記載される前記空気調和機の制御量を算出する動作を選択する機能を有することを特徴とするダクト式空気調和システム。
【発明の詳細な説明】
【技術分野】
【０００１】
本発明は、空気調和機に繋がるダクトにより複数の被空調空間へ調和空気を供給するダクト式空気調和システムに関する。
【背景技術】
【０００２】
特許文献１に代表される従来のダクト式空気調和システムは、空気調和機を構成する室外機と、空気調和機を構成する室内機と、室温センサと、室内機の吹出口に接続されたダクトと、ダクトから分岐し複数の被空調空間に配置される複数のダクト分岐部と、複数のダクト分岐部内に各々配置されダクト分岐部内の風路を開閉する複数のダンパと、複数のダクト分岐部の端部に各々配置され調和空気を複数の被空調空間に排気する複数の吹出口とを有する。従来のダクト式空気調和システムではダンパが開閉することで各被空調空間の空調が行なわれる。
【先行技術文献】
【特許文献】
【０００３】
【特許文献１】特開平７−４９１４４号公報
【発明の概要】
【発明が解決しようとする課題】
【０００４】
従来のダクト式空気調和システムに用いられる空気調和機は、ユーザが設定した室温の設定温度と複数の各被空調空間で検出された室温との温度差に基づいて調和空気を排出する。ただし個々の被空調空間で検出される室温が異なるため、従来のダクト式空気調和システムでは、複数の被空調空間の中からユーザが望む被空調空間に適した調和空気を供給することができない。このようなことから、複数の被空調空間の中からユーザが望む被空調空間に適した調和空気を供給するためには、被空調空間の空調を行う際、複数の被空調空間の中から空調対象の被空調空間をユーザが選択すると共に、空調を行う被空調空間の近くに位置する室温センサをユーザが選択しなければならず、従来のダクト式空気調和システムは、ユーザの利便性が悪いという問題点があった。【０００５】
本発明は、上記に鑑みてなされたものであって、ユーザの利便性の向上を図ることができるダクト式空気調和システムを得ることを目的とする。
【課題を解決するための手段】
【０００６】
上述した課題を解決し、目的を達成するために、本発明に係るダクト式空気調和システムは、空気調和機と、前記空気調和機の調和空気が供給される複数の被空調空間に配置された複数のダクトと、前記複数の被空調空間に設けられた複数の室温センサと、前記空気調和機を制御する制御装置と、前記空気調和機を制御するコントローラと、を備え、前記制御装置は、前記複数の被空調空間と前記複数の室温センサとを対応付けたセンサ設定情報を用いて、前記コントローラで空調運転開始操作が行われた前記複数の被空調空間の何れかの被空調空間に設けられた室温センサを決定し、前記空気調和機は、前記制御装置で決定した室温センサで検出された室温に基づいて前記空気調和機の制御量を算出する空調制御量算出部を有することを特徴とする。
【発明の効果】
【０００７】
本発明に係るダクト式空気調和システムは、ユーザの利便性の向上を図ることができるという効果を奏する。
【図面の簡単な説明】
【０００８】
【図１】本発明の実施の形態１に係るダクト式空気調和システムの構成図
【図２】ダクト式空気調和システムを構成する室内機、制御装置、およびコントローラの各々の機能ブロック図
【図３】室温決定部の機能ブロック図
【図４】センサ設定テーブルの例を示す図
【図５】本発明の実施の形態１に係るダクト式空気調和システムの動作を示すフローチャート
【図６】本発明の実施の形態２に係るダクト式空気調和システムが有する室温決定部の機能ブロック図
【図７】本発明の実施の形態２に係るダクト式空気調和システムの動作を示すフローチャート
【図８】センサ設定テーブルに設定された複数の被空調空間に配置された室温センサで各々検出される室温と、被空調空間の運転開始操作の状態を示す図
【図９】本発明の実施の形態３に係るダクト式空気調和システムを構成する室内機、制御装置、およびコントローラの各々の機能ブロック図
【図１０】図９に示す室温決定部の機能ブロック図
【図１１】本発明の実施の形態３に係るダクト式空気調和システムの動作を示すフローチャート
【図１２】本発明の実施の形態４に係るダクト式空気調和システムを構成する室内機、制御装置、およびコントローラの各々の機能ブロック図
【図１３】図１２に示す室温決定部の機能ブロック図
【図１４】図１３に示すセンサ設定テーブルの例を示す図
【図１５】本発明の実施の形態４に係るダクト式空気調和システムの動作を示すフローチャート
【発明を実施するための形態】
【０００９】
以下に、本発明の実施の形態に係るダクト式空気調和システムを図面に基づいて詳細に説明する。なお、この実施の形態によりこの発明が限定されるものではない。
【００１０】
実施の形態１．
図１は本発明の実施の形態１に係るダクト式空気調和システムの構成図である。ダクト式空気調和システム１は、空気調和機を構成する室内機２と、空気調和機を構成し室内機２に接続された室外機３と、空気調和機を制御する制御装置４と、制御線５を介して各種情報を制御装置４へ伝送する複数のコントローラ６−１，６−２と、室内機２からの調和空気を複数の被空調空間１０−１，１０−２，１０−３，１０−４へ供給するダクト７と、ダクト７から分岐し被空調空間１０−１，１０−２，１０−３，１０−４に配置された複数のダクト分岐部７−１，７−２，７−３，７−４と、複数のダクト分岐部７−１，７−２，７−３，７−４内に各々配置され制御装置４からの制御によりダクト内の風路を開閉する複数のダンパ９−１，９−２，９−３，９−４と、複数のダクト分岐部７−１，７−２，７−３，７−４の端部に各々配置され調和空気を複数の被空調空間１０−１，１０−２，１０−３，１０−４に排気する複数の吹出口８−１，８−２，８−３，８−４と、被空調空間１０−１の室温を検出する室温センサ１１−１と、被空調空間１０−２の室温を検出する室温センサ１１−２と、被空調空間１０−３の室温を検出する室温センサ１１−３と、被空調空間１０−４の室温を検出する室温センサ１１−４とを有する。
【００１１】
制御装置４、室内機２、室外機３、複数のコントローラ６−１，６−２、および複数のダンパ９−１，９−２，９−３，９−４は制御線５で接続される。複数のダンパ９−１，９−２，９−３，９−４は、制御装置４により個々に開閉制御される。室温センサ１１−１，１１−２，１１−３，１１−４で各々検出された室温の室温情報１１ａは制御線５で制御装置４へ送信される。コントローラ６−１，６−２では、複数の被空調空間１０−１，１０−２，１０−３，１０−４における空調を個別に制御するための各種設定が行われ、設定内容を表す情報はコントローラ出力情報６ａとして制御装置４に送信される。
【００１２】
なお、図１のダクト式空気調和システムでは、制御装置４を用いているが、例えば制御装置４を空気調和機から取り外し可能な構成とし、複数のダンパ９−１，９−２，９−３，９−４の制御が不要な場合には空気調和機から制御装置４を取り外し、複数のダンパ９−１，９−２，９−３，９−４の制御が必要な場合には空気調和機に制御装置４を接続する構成でもよい。この構成により複数のダンパの制御が不要なダクト式空気調和システムにおいては、室内機の吸い込み温度を制御室温として空調機を制御することができるため、複数のダンパの制御が不要なダクト式空気調和システムでも同一の空調機を用いることができ、空調機を共通化することができる。また、図１のダクト式空気調和システム１では２つのコントローラと４つのダクト分岐部と４つのダンパとが用いられているが、コントローラ、ダクト分岐部、およびダンパの数は図示例に限定されるものではない。また複数の被空調空間に設けられる吹出口の数は図示例に限定されるものではない。また図１のダクト式空気調和システム１では１本のダクトと複数のダクト分岐部とが用いられているが、ダクトの構成は図示例に限定されるものではない。例えばダクト式空気調和システム１は、複数のダクトの一端を室内機２に繋げ、かつ、複数のダクトの他端を複数の被空調空間へ配置することで、室内機２からの調和空気を複数のダクトで直接複数の被空調空間へ供給する構成でもよい。また図１のダクト式空気調和システム１ではダンパを内蔵したダクトが用いられているが、ダクト式空気調和システム１はダンパを内蔵しないダクトを用いた場合でも空調制御が可能である。
【００１３】
図２はダクト式空気調和システムを構成する室内機、制御装置、およびコントローラの各々の機能ブロック図である。コントローラ６−１，６−２は、複数の被空調空間１０−１，１０−２，１０−３，１０−４の中からユーザが空調を望む被空調空間の空調運転開始操作および室温設定操作といった操作を行う空調操作部６１と、複数の室温センサ１１−１，１１−２，１１−３，１１−４の中からユーザが空調を望む被空調空間の空調制御に用いる室温センサを設定する室温センサ設定部６２と、制御装置４と通信を行う通信部６３とを備える。制御装置４は、室内機２と通信を行う通信部４１と、コントローラ６−１，６−２からのコントローラ出力情報６ａと室温センサからの室温情報１１ａを用いて被空調空間に対応した室温センサを決定し、決定した室温センサで検出された室温の室温情報４２ａを出力する室温決定部４２と、コントローラ６−１，６−２と通信を行う通信部４３と、複数のダンパ９−１，９−２，９−３，９−４の開閉制御を行うダンパ制御部４４とを備える。室内機２は、制御装置４と通信を行う通信部２１と、室温決定部４２からの室温情報４２ａとコントローラ出力情報６ａとを用いて、室温決定部４２で決定された温度と被空調空間の設定温度との温度差を算出し、算出した温度差に基づいて空気調和機の空調制御量を決定する空調制御量算出部２２と、空調制御量算出部２２からの空調制御量に従って室内機２の調和空気の供給制御を行う空調制御部２３とを備える。
【００１４】
空調操作部６１において、ユーザが空調を望む被空調空間の空調運転開始操作または室温設定操作が行われた場合、空調操作部６１では操作内容を示す操作情報６１ａが生成される。室温センサ設定部６２で室温センサの設定が行われた場合、室温センサ設定部６２で設定された室温センサを表す室温センサ設定情報６２ａが生成される。これらの操作情報６１ａおよび室温センサ設定情報６２ａはコントローラ出力情報６ａとして制御装置４および室内機２に送信され、室温決定部４２で生成された室温情報４２ａは室内機２に送信される。
【００１５】
図３は室温決定部の機能ブロック図である。図３に示す室温決定部４２は、室温センサ設定情報６２ａに基づいて複数の被空調空間と室温センサ設定部６２で設定された室温センサとを対応付けて格納するセンサ設定情報であるセンサ設定テーブル４２１と、操作情報６１ａに基づいて空調運転を開始する被空調空間を特定する被空調空間特定部４２２と、被空調空間特定部４２２で特定された被空調空間をセンサ設定テーブル４２１に照合することで被空調空間に対応した室温センサを決定し、決定した室温センサで検出された室温の室温情報を生成する室温情報生成部４２３とを有する。なおセンサ設定テーブル４２１は、室温センサ設定部６２を用いて複数の被空調空間と複数の室温センサとを対応付けたものに限定されず、例えば室温センサ設定部６２を用いずに直接制御装置４にセンサ設定テーブル４２１を登録したものでもよい。
【００１６】
図４はセンサ設定テーブルの例を示す図である。センサ設定テーブル４２１には一例として図１に示す複数の被空調空間１０−１，１０−２，１０−３，１０−４と複数の室温センサ１１−１，１１−２，１１−３，１１−４とが対応付けて格納されている。具体的には、センサ設定テーブル４２１には、被空調空間１０−１と室温センサ１１−１とが対応付けられ、被空調空間１０−２と室温センサ１１−２とが対応付けられ、被空調空間１０−３と室温センサ１１−３とが対応付けられ、被空調空間１０−４と室温センサ１１−４とが対応付けられているものとする。
【００１７】
以下動作を説明する。図５は本発明の実施の形態１に係るダクト式空気調和システムの動作を示すフローチャートである。室温センサ設定部６２においてユーザが空調を望む被空調空間の空調制御に用いる室温センサの設定操作が行われ、これによりセンサ設定テーブル４２１には複数の被空調空間と室温センサ設定部６２で設定された室温センサとが対応付けて格納される（ステップＳ１）。被空調空間特定部４２２は空調操作部６１で被空調空間１０−１，１０−２，１０−３，１０−４の空調運転開始操作が行われていない場合（ステップＳ２，Ｎｏ）、ステップＳ２の処理を継続し、例えば被空調空間１０−１の空調運転開始操作が行われた場合（ステップＳ２，Ｙｅｓ）、被空調空間特定部４２２は空調運転を開始する被空調空間が被空調空間１０−１であることを特定し（ステップＳ３）、室温情報生成部４２３は被空調空間特定部４２２で特定された被空調空間をセンサ設定テーブル４２１に照合することで被空調空間に対応した室温センサを決定し、決定した室温センサで検出された室温の室温情報４２ａを生成する（ステップＳ４）。空調制御量算出部２２は、室温決定部４２からの室温情報４２ａとコントローラ出力情報６ａとを用いて、室温決定部４２で決定された室温と被空調空間１０−１の設定温度との温度差を算出し（ステップＳ５）、温度差に対応した空気調和機の空調制御量を算出し（ステップＳ６）、空調制御部２３は空調制御量に従って空調制御を行う（ステップＳ７）。
【００１８】
従来技術では被空調空間の空調を行う際、ユーザは複数の被空調空間の中から空調対象の被空調空間を選択すると共に、空調を行う被空調空間の近くに位置する室温センサを選択しなければならず、従来技術はユーザの利便性が悪いという問題点があった。これに対して実施の形態１のダクト式空気調和システム１によれば、複数の被空調空間を同時に空調する場合、運転開始操作が行われた被空調空間に設けられた室温センサを自動的に特定し、特定された室温センサで検出された室温を用いて空調制御を行うことができる。従ってユーザの利便性の向上を図ることができる。
【００１９】
実施の形態２．
実施の形態１では一つの被空調空間の空調運転が開始された場合に空調制御を行う構成例を説明したが、実施の形態２では複数の被空調空間の空調運転が開始された場合に複数の被空調空間の空調制御を同時に行う構成例を説明する。以下、実施の形態１と同一部分には同一符号を付してその説明を省略し、ここでは異なる部分についてのみ述べる。
【００２０】
図６は本発明の実施の形態２に係るダクト式空気調和システムが有する室温決定部の機能ブロック図である。図６に示す室温決定部４２は、センサ設定テーブル４２１と、被空調空間特定部４２２と、室温情報生成部４２３と、室温情報生成部４２３で決定した複数の室温センサで検出された室温の平均温度を算出する平均温度算出部４２６とを有する。平均温度算出部４２６で算出された平均温度は室温情報４２ａとして出力される。
【００２１】
以下動作を説明する。図７は本発明の実施の形態２に係るダクト式空気調和システムの動作を示すフローチャートである。室温センサ設定部６２においてユーザが空調を望む被空調空間の空調制御に用いる室温センサの設定操作が行われ、これによりセンサ設定テーブル４２１には複数の被空調空間と室温センサ設定部６２で設定された室温センサとが対応付けて格納される（ステップＳ２１）。被空調空間特定部４２２は空調操作部６１で被空調空間１０−１，１０−２，１０−３，１０−４との空調運転開始操作が行われていない場合（ステップＳ２２，Ｎｏ）、ステップＳ２２の処理を継続し、例えば被空調空間１０−１，１０−３の空調運転開始操作が行われた場合（ステップＳ２２，Ｙｅｓ）、被空調空間特定部４２２は空調運転を開始する複数の被空調空間１０−１，１０−３を特定し（ステップＳ２３）、室温情報生成部４２３はセンサ設定テーブル４２１を参照することで被空調空間１０−１に対応する室温センサ１１−１と被空調空間１０−３に対応する室温センサ１１−３とを決定し、決定した室温センサで検出された複数の室温の室温情報を生成し（ステップＳ２４）、平均温度算出部４２６は室温情報生成部４２３で生成された複数の室温の室温情報を用いて室温の平均温度を算出する（ステップＳ２５）。
【００２２】
図８はセンサ設定テーブルに設定された複数の被空調空間に配置された室温センサで各々検出される室温と、被空調空間の運転開始操作の状態を示す図である。図８にはセンサ設定テーブル４２１に設定された複数の被空調空間１０−１，１０−２，１０−３，１０−４と複数の室温センサ１１−１，１１−２，１１−３，１１−４との対応関係が示されている。さらに図８には複数の室温センサ１１−１，１１−２，１１−３，１１−４で各々検出される室温と、空調操作部６１で運転開始操作の有無がＯＮまたはＯＦＦで示されている。上記の例では空調操作部６１において複数の被空調空間１０−１，１０−３の運転開始操作が行われたため、図８に示す運転開始操作欄は被空調空間１０−１，１０−３がＯＮ、被空調空間１０−２，１０−４がＯＦＦである。そして複数の被空調空間１０−１，１０−３に設けられた複数の室温センサ１１−１，１１−３で検出された室温が各々２４℃と２６℃であるため、平均温度算出部４２６で算出される平均温度は２５℃である。
【００２３】
空調制御量決定部２２は、室温決定部４２からの室温情報４２ａとコントローラ出力情報６ａとを用いて、室温決定部４２で算出された平均温度と被空調空間の設定温度との温度差を算出し（ステップＳ２６）、温度差に対応した空気調和機の空調制御量を算出し（ステップＳ２７）、空調制御部２３は空調制御量に従って空調制御を行う（ステップＳ２８）。
【００２４】
以上のように実施の形態２の制御装置は、前記コントローラで空調運転開始操作が行われた前記複数の被空調空間に設けられた複数の前記室温センサを決定し、空気調和機は、制御装置で決定した複数の室温センサで検出された室温の平均温度に基づいて前記空気調和機の制御量を算出する。この構成により、ダクト式空気調和システム１は、複数の被空調空間を同時に空調する場合、運転開始操作が行われた被空調空間に設けられた室温センサで検出された室温を用いて自動的に空調制御を行うことができる。従ってユーザの利便性が向上すると共に、特定の室温センサに偏らない空調制御を行うことができユーザの快適性の向上も図ることができる。
【００２５】
実施の形態３．
実施の形態２では複数の被空調空間の空調運転が同時に開始される場合に複数の室温センサで検出された室温の平均温度を用いて空調制御を行う構成例を説明したが、実施の形態３では吹出口数に対応した重みづけがなされた室温を用いて空調制御を行う構成例を説明する。以下、実施の形態１と同一部分には同一符号を付してその説明を省略し、ここでは異なる部分についてのみ述べる。
【００２６】
図９は本発明の実施の形態３に係るダクト式空気調和システムを構成する室内機、制御装置、およびコントローラの各々の機能ブロック図である。実施の形態１との違いはコントローラ６−１，６−２が空調操作部６１、室温センサ設定部６２、および通信部６３に加えて、複数の被空調空間に各々設けられた複数の吹出口の口数を設定するための吹出口数設定部６４を有する点である。吹出口数設定部６４で設定された吹出口数情報６４ａはコントローラ出力情報６ａに含められ、通信部６３および通信部４３を介して室温決定部４２へ伝送される。
【００２７】
図１０は図９に示す室温決定部の機能ブロック図である。図１０に示す室温決定部４２は、センサ設定テーブル４２１と、被空調空間特定部４２２と、室温情報生成部４２３と、吹出口数情報６４ａに基づいて室温情報生成部４２３で生成された複数の室温センサで検出された室温を加重平均化した温度を算出する加重平均温度算出部４２７とを有する。加重平均温度算出部４２７で算出された加重平均温度は室温情報４２ａとして出力される。
【００２８】
加重平均温度算出部４２７では以下の式で加重平均温度が算出される。ただしｎは空調運転を開始した被空調空間に配置された複数の吹出口の口数であり、Ｔは空調運転を開始した被空調空間に配置された室温センサで検出された温度であり、Ｎは空調運転を開始した複数の被空調空間の吹出口の総和である。
加重平均温度＝Σ（ｎ×Ｔ）／Ｎ
【００２９】
以下動作を説明する。図１１は本発明の実施の形態３に係るダクト式空気調和システムの動作を示すフローチャートである。室温センサ設定部６２においてユーザが空調を望む被空調空間の空調制御に用いる室温センサの設定操作が行われ、これによりセンサ設定テーブル４２１には複数の被空調空間と室温センサ設定部６２で設定された室温センサとが対応付けて格納される（ステップＳ３１）。被空調空間特定部４２２は空調操作部６１で被空調空間１０−１，１０−２，１０−３，１０−４との空調運転開始操作が行われていない場合（ステップＳ３２，Ｎｏ）、ステップＳ３２の処理を継続し、例えば被空調空間１０−１，１０−３の空調運転開始操作が行われた場合（ステップＳ３２，Ｙｅｓ）、被空調空間特定部４２２は空調運転を開始する複数の被空調空間１０−１，１０−３を特定し（ステップＳ３３）、室温情報生成部４２３はセンサ設定テーブル４２１を参照することで被空調空間１０−１に対応する室温センサ１１−１と被空調空間１０−３に対応する室温センサ１１−３とを決定し、決定した室温センサで検出された複数の室温の室温情報を生成する（ステップＳ３４）。
【００３０】
加重平均温度算出部４２７は室温情報生成部４２３で生成された複数の室温の室温情報を用いて室温を加重平均化した温度を算出する（ステップＳ３５）。例えば室温センサ１１−１で検出された室温が２４℃であり、室温センサ１１−３で検出された室温が２６℃であり、被空調空間１０−１に配置された吹出口の口数が４つであり、被空調空間１０−３に配置された吹出口の口数が３つである場合、加重平均化した温度は２５℃となる。
【００３１】
空調制御量決定部２２は、室温決定部４２からの室温情報４２ａとコントローラ出力情報６ａとを用いて、室温決定部４２で算出された加重平均温度と被空調空間の設定温度との温度差を算出し（ステップＳ３６）、温度差に対応した空調制御量を算出し（ステップＳ３７）、空調制御部２３は空調制御量に従って空調制御を行う（ステップＳ３８）。
【００３２】
以上のように実施の形態３の制御装置は、前記コントローラで空調運転開始操作が行われた前記複数の被空調空間に設けられた複数の室温センサを決定し、前記空気調和機は、前記制御装置で決定した複数の室温センサで検出された室温を、前記複数のダクトの端部に各々配置される複数の吹出口の数で加重平均化し、加重平均化した温度に基づいて前記空気調和機の制御量を算出する。この構成によりダクト式空気調和システム１は、実施の形態２と同様の効果が得られるだけでなく、空調され難い被空調空間の室温を設定温度へより早く近づけることができ、ユーザの快適性の更なる向上を図ることができる。
【００３３】
実施の形態４．
実施の形態３では吹出口数に対応した重みづけがなされた室温を用いて空調制御を行う構成例を説明したが、実施の形態４では複数の被空調空間に優先順位を設定し、優先順位の高い被空調空間から優先的に空調制御を行う構成例を説明する。以下、実施の形態１と同一部分には同一符号を付してその説明を省略し、ここでは異なる部分についてのみ述べる。
【００３４】
図１２は本発明の実施の形態４に係るダクト式空気調和システムを構成する室内機、制御装置、およびコントローラの各々の機能ブロック図である。実施の形態１との違いはコントローラ６−１，６−２が空調操作部６１、室温センサ設定部６２、および通信部６３に加えて、複数の被空調空間に優先順位を設定するための優先順位設定部６５を有する点である。優先順位設定部６５で設定された優先順位情報６５ａはコントローラ出力情報６ａに含められ、通信部６３および通信部４３を介して室温決定部４２へ伝送される。
【００３５】
図１３は図１２に示す室温決定部の機能ブロック図である。図１３に示す室温決定部４２は、室温センサ設定情報６２ａおよび優先順位情報６５ａに基づいて複数の被空調空間と室温センサ設定部６２で設定された室温センサと複数の被空調空間の優先順位とを対応付けて格納するセンサ設定テーブル４２１Ａと、被空調空間特定部４２２と、センサ設定テーブル４２１Ａに照合することにより、被空調空間特定部４２２で特定された複数の被空調空間の中から優先順位が最も高い被空調空間に対応した室温センサを決定し、決定した室温センサで検出された室温の室温情報を生成する室温情報生成部４２３Ａとを有する。室温情報生成部４２３Ａで生成された室温は室温情報４２ａとして出力される。
【００３６】
図１４は図１３に示すセンサ設定テーブルの例を示す図である。センサ設定テーブル４２１Ａには一例として複数の被空調空間１０−１，１０−２，１０−３，１０−４と複数の室温センサ１１−１，１１−２，１１−３，１１−４と１から４までの優先順位とが対応付けて格納されている。具体的には、センサ設定テーブル４２１Ａには、被空調空間１０−１と室温センサ１１−１と優先順位「４」とが対応付けられ、被空調空間１０−２と室温センサ１１−２と優先順位「３」とが対応付けられ、被空調空間１０−３と室温センサ１１−３と優先順位「２」とが対応付けられ、被空調空間１０−４と室温センサ１１−４と優先順位「１」とが対応付けられているものとする。図示例では優先順位「１」が最も高く、優先順位「４」が最も低いものとする。
【００３７】
以下動作を説明する。図１５は本発明の実施の形態４に係るダクト式空気調和システムの動作を示すフローチャートである。室温センサ設定部６２においてユーザが空調を望む被空調空間の空調制御に用いる室温センサの設定操作が行われる。また優先順位設定部６５において複数の被空調空間の優先順位の設定操作が行われる。これによりセンサ設定テーブル４２１Ａには複数の被空調空間と室温センサと優先順位とが対応付けて格納される（ステップＳ４１）。被空調空間特定部４２２は空調操作部６１で被空調空間１０−１，１０−２，１０−３，１０−４との空調運転開始操作が行われていない場合（ステップＳ４２，Ｎｏ）、ステップＳ４２の処理を継続し、例えば被空調空間１０−１，１０−３の空調運転開始操作が行われた場合（ステップＳ４２，Ｙｅｓ）、被空調空間特定部４２２は空調運転を開始する複数の被空調空間１０−１，１０−３を特定し（ステップＳ４３）、室温情報生成部４２３Ａはセンサ設定テーブル４２１Ａを参照することで、被空調空間１０−１よりも優先順位が高い被空調空間１０−３に対応する室温センサ１１−３を決定し、室温センサ１１−３で検出された室温の室温情報４２ａを生成する（ステップＳ４４）。空調制御量算出部２２は、室温決定部４２からの室温情報４２ａとコントローラ出力情報６ａとを用いて、室温決定部４２で決定された室温と被空調空間１０−３の設定温度との温度差を算出し（ステップＳ４５）、温度差に対応した空気調和機の空調制御量を算出し（ステップＳ４６）、空調制御部２３は空調制御量に従って空調制御を行う（ステップＳ４７）。
【００３８】
以上のように実施の形態４のダクト式空気調和システム１によれば、センサ設定情報には、前記複数の被空調空間と前記複数の室温センサと前記複数の被空調空間の優先順位とが対応付けられ、前記制御装置は、前記コントローラで空調運転開始操作が行われた前記複数の被空調空間に設けられた複数の室温センサの中で優先順位が高い室温センサを決定し、前記空気調和機は、前記制御装置で決定した室温センサで検出された室温に基づいて前記空気調和機の制御量を算出する。この構成によりダクト式空気調和システム１は、実施の形態１と同様の効果が得られるだけでなく、複数の被空調空間を同時に空調する場合、ユーザが望む任意の被空調空間を優先的に空調することができ、ユーザの快適性の更なる向上を図ることができる。
【００３９】
なお実施の形態２，３，４に係る空気調和機は、コントローラで複数の被空調空間の空調運転開始操作が行われた場合、実施の形態２，３，４に係る空気調和機の制御量を算出する動作を選択する機能を有する構成としてもよい。この構成により１つの空気調和機でユーザの環境に合った空調制御を選択することができ、ユーザの利便性の更なる向上を図ることができる。
【００４０】
以上に説明したように実施の形態１，２，３，４に係るダクト式空気調和システムは、空気調和機と、前記空気調和機の調和空気が供給される複数の被空調空間に配置された複数のダクトと、前記複数の被空調空間に設けられた複数の室温センサと、前記空気調和機を制御する制御装置と、前記空気調和機を制御するコントローラと、を備え、前記制御装置は、前記複数の被空調空間と前記複数の室温センサとを対応付けたセンサ設定情報を用いて、前記コントローラで空調運転開始操作が行われた前記複数の被空調空間の何れかの被空調空間に設けられた前記室温センサを決定し、前記空気調和機は、前記制御装置で決定した室温センサで検出された室温に基づいて前記空気調和機の制御量を算出する空調制御量算出部を有する。この構成により、複数の被空調空間を同時に空調する場合でも運転開始操作が行われた被空調空間に設けられた室温センサで検出された室温を用いて自動的に空調制御を行うことができ、従ってユーザの利便性の向上を図ることができる。
【００４１】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００４２】
１  ダクト式空気調和システム、２  室内機、３  室外機、４  制御装置、５  制御線、６−１，６−２  コントローラ、６ａ  コントローラ出力情報、７  ダクト、７−１，７−２，７−３，７−４  ダクト分岐部、８−１，８−２，８−３，８−４  吹出口、９−１，９−２，９−３，９−４  ダンパ、１０−１，１０−２，１０−３，１０−４  被空調空間、１１−１，１１−２，１１−３，１１−４  室温センサ、１１ａ  室温情報、２１  通信部、２２  空調制御量算出部、２３  空調制御部、４１  通信部、４２  室温決定部、４２ａ  室温情報、４３  通信部、４４  ダンパ制御部、６１  空調操作部、６１ａ  操作情報、６２  室温センサ設定部、６２ａ  室温センサ設定情報、６３  通信部、６４  吹出口数設定部、６４ａ  吹出口数情報、６５  優先順位設定部、６５ａ  優先順位情報、４２１，４２１Ａ  センサ設定テーブル、４２２  被空調空間特定部、４２３，４２３Ａ  室温情報生成部、４２６  平均温度算出部、４２７  加重平均温度算出部。
【図１】
2016092671.tif 000003
【図２】
2016092671.tif 000004
【図３】
2016092671.tif 000005
【図４】
2016092671.tif 000006
【図５】
2016092671.tif 000007
【図６】
2016092671.tif 000008
【図７】
2016092671.tif 000009
【図８】
2016092671.tif 000010
【図９】
2016092671.tif 000011
【図１０】
2016092671.tif 000012
【図１１】
2016092671.tif 000013
【図１２】
2016092671.tif 000014
【図１３】
2016092671.tif 000015
【図１４】
2016092671.tif 000016
【図１５】
2016092671.tif 000017
【手続補正書】
【提出日】平成28年11月28日(2016.11.28)
【手続補正１】
【補正対象書類名】特許請求の範囲
【補正対象項目名】全文
【補正方法】変更
【補正の内容】
【特許請求の範囲】
【請求項１】
空気調和機と、
前記空気調和機の調和空気が供給される複数の被空調空間に配置された複数のダクトと、
前記複数の被空調空間に設けられた複数の室温センサと、
前記空気調和機を制御する制御装置と、
前記空気調和機の空調運転操作を行うコントローラと、
を備え、
前記制御装置は、前記複数の被空調空間と前記複数の室温センサとを対応付けたセンサ設定情報を用いて、前記コントローラで空調運転開始操作が行われた前記複数の被空調空間の何れかの被空調空間に設けられた室温センサを決定し、
前記空気調和機は、前記制御装置で決定した室温センサで検出された室温に基づいて前記空気調和機の制御量を算出する空調制御量算出部を有することを特徴とするダクト式空気調和システム。
【請求項２】
前記制御装置は、前記複数の被空調空間と前記複数の室温センサとを対応付けたセンサ設定テーブルを用いて室温センサを決定することを特徴とする請求項１に記載のダクト式空気調和システム。
【請求項３】
前記制御装置は、前記コントローラで空調運転開始操作が行われた前記複数の被空調空間に設けられた複数の室温センサを決定し、
前記空気調和機は、前記制御装置で決定した複数の室温センサで検出された室温の平均温度に基づいて前記空気調和機の制御量を算出することを特徴とする請求項１または請求項２に記載のダクト式空気調和システム。
【請求項４】
前記制御装置は、前記コントローラで空調運転開始操作が行われた前記複数の被空調空間に設けられた複数の室温センサを決定し、決定した複数の室温センサで検出された室温を、前記複数のダクトの端部に各々配置される複数の吹出口の数で加重平均化し、
前記空気調和機は、前記制御装置で加重平均化した温度に基づいて前記空気調和機の制御量を算出することを特徴とする請求項１または請求項２に記載のダクト式空気調和システム。
【請求項５】
前記センサ設定情報には、前記複数の被空調空間と前記複数の室温センサと前記複数の被空調空間の優先順位とが対応付けられ、
前記制御装置は、前記コントローラで空調運転開始操作が行われた前記複数の被空調空間に設けられた複数の室温センサの中で優先順位が高い室温センサを決定し、
前記空気調和機は、前記制御装置で決定した室温センサで検出された室温に基づいて前記空気調和機の制御量を算出することを特徴とする請求項１または請求項２に記載のダクト式空気調和システム。
【請求項６】
前記空気調和機は、前記コントローラで前記複数の被空調空間の空調運転開始操作が行われた場合、請求項３から請求項５の何れか１項に記載される前記空気調和機の制御量を算出する動作を選択する機能を有することを特徴とするダクト式空気調和システム。
【手続補正２】
【補正対象書類名】明細書
【補正対象項目名】０００６
【補正方法】変更
【補正の内容】
【０００６】
上述した課題を解決し、目的を達成するために、本発明に係るダクト式空気調和システムは、空気調和機と、前記空気調和機の調和空気が供給される複数の被空調空間に配置された複数のダクトと、前記複数の被空調空間に設けられた複数の室温センサと、前記空気調和機を制御する制御装置と、前記空気調和機の空調運転操作を行うコントローラと、を備え、前記制御装置は、前記複数の被空調空間と前記複数の室温センサとを対応付けたセンサ設定情報を用いて、前記コントローラで空調運転開始操作が行われた前記複数の被空調空間の何れかの被空調空間に設けられた室温センサを決定し、前記空気調和機は、前記制御装置で決定した室温センサで検出された室温に基づいて前記空気調和機の制御量を算出する空調制御量算出部を有することを特徴とする。
【手続補正３】
【補正対象書類名】明細書
【補正対象項目名】００２３
【補正方法】変更
【補正の内容】
【００２３】
空調制御量算出部２２は、室温決定部４２からの室温情報４２ａとコントローラ出力情報６ａとを用いて、室温決定部４２で算出された平均温度と被空調空間の設定温度との温度差を算出し（ステップＳ２６）、温度差に対応した空気調和機の空調制御量を算出し（ステップＳ２７）、空調制御部２３は空調制御量に従って空調制御を行う（ステップＳ２８）。
【手続補正４】
【補正対象書類名】明細書
【補正対象項目名】００３１
【補正方法】変更
【補正の内容】
【００３１】
空調制御量算出部２２は、室温決定部４２からの室温情報４２ａとコントローラ出力情報６ａとを用いて、室温決定部４２で算出された加重平均温度と被空調空間の設定温度との温度差を算出し（ステップＳ３６）、温度差に対応した空調制御量を算出し（ステップＳ３７）、空調制御部２３は空調制御量に従って空調制御を行う（ステップＳ３８）。
【国際調査報告】
2016092671.tif 000018
2016092671.tif 000019
2016092671.tif 000020
2016092671.tif 000021